(57)【特許請求の範囲】
【請求項１】
取付杆にスライド可能に連結した樋支持具本体と、水平方向に回転させる横回転ロックレバーを備え、これらを上下に貫通する連結軸で連結し、上記樋支持具本体を所望の位置で固定させる横回転ロック式の雨樋支持具であって、
上記横回転ロックレバーには、略中央に上記連結軸を貫通する軸孔部を形成すると共に、上面に上記樋支持具本体の下面に形成した凹凸部と係脱可能な上方に向けて弾性付勢させ上端を円弧状とした爪片部が上記軸孔部を中心として前後２箇所に切り欠き形成してあり、
上記横回転ロックレバーをロック位置に回転したときには、この横回転ロックレバーの爪片部が、上記樋支持具本体の側方から、上記樋支持具本体の凹凸部の凹部に係入すると共に、上記樋支持具本体を所望の位置に固定させる構造とした横回転ロック式の雨樋支持具。
【請求項２】
取付杆にスライド可能に連結した樋支持具本体と、水平方向に回転させる横回転ロックレバーを備え、これらを上下に貫通する連結軸で連結し、上記樋支持具本体を所望の位置で固定させる横回転ロック式の雨樋支持具であって、
上記取付杆の前方には、略中央に上記連結軸を貫通する軸孔を形成すると共に、上記樋支持具本体の上面に形成した凹凸部と係脱可能な上方に向けて弾性付勢させた爪片部が上記軸孔の前後２箇所に切り欠き形成してあり、
上記横回転ロックレバーをロック位置に回転したときには、上記取付杆の爪片部が、横回転ロックレバーに押し下げられて、上記樋支持具本体の凹部に係入すると共に、上記樋支持具本体を所望の位置に固定させる構造とした横回転ロック式の雨樋支持具。
【請求項３】
取付杆にスライド可能に連結した樋支持具本体と、水平方向に回転させる横回転ロックレバーを備え、これらを上下に貫通する連結軸で連結し、上記樋支持具本体を所望の位置に固定させる横回転ロック式の雨樋支持具であって、
上記樋支持具本体と横回転ロックレバーの間には、受板が設けられており、
上記受板には、略中央に上記連結軸を貫通する軸孔部を形成すると共に、上記樋支持具本体の下面に形成した凹凸部と係脱可能な下方に向けて弾性付勢させた爪片部が上記軸孔部の前後２箇所に切り欠き形成してあり、
上記横回転ロックレバーをロック位置に回転したときには、上記取付杆の爪片部が、横回転ロックレバーに押し上げられて、上記樋支持具本体の凹部に係入すると共に、上記樋支持具本体を所望の位置に固定させる構造とした横回転ロック式の雨樋支持具。
【請求項４】
請求項１〜３の何れかにおいて、
上記樋支持具本体に形成した長孔の側壁には、長手方向に連続する凹凸部を形成し、この凹凸部の凹部と、上記爪片部とを、係脱可能な構造にしている横回転ロック式の雨樋支持具。
【発明の詳細な説明】
【０００１】
【発明の属する技術分野】
本発明は、建造物等の軒先付近に取付けられる横回転ロック式の雨樋支持具に関し、詳しくは、軒先等に固定される取付杆とスライド可能に連結した樋支持具本体を、水平方向に回転させる横回転ロックレバーで所望の位置にロックすることのできる横回転ロック式の雨樋支持具に関する。
【０００２】
【従来の技術】
図９は、従来の横回転ロック式の雨樋支持具を示す分解斜視図である。
【０００３】
この横回転ロック式の雨樋支持具１００は、軒先等に固定される取付片１１１を有する取付杆１０１と、この取付杆１０１にスライド可能に連結する長孔１１２を設けた樋支持具本体１０２と、この樋支持具本体１０２の下面に形成した凹凸部１２２の凹部１２２ａに係脱可能な爪部１１３を上面に形成すると共に、下面には下方に向けて除々に膨出する傾斜部１２３を設けた膨出部１３３を形成した受座１０３と、水平方向に回転させる横回転ロックレバー１０４を備え、これらを上下に貫通する連結軸１０５で結合している。
【０００４】
なお、連結軸１０５の下端は、スプリングワッシャ１０６及びワッシャ１０７を挿通してカシメ止めしている。
【０００５】
図１０は、従来の横回転ロック式の雨樋支持具を示す動作説明図である。
【０００６】
この横回転ロック式の雨樋支持具１００は、横回転ロックレバー１０４が横方向に向いた状態でアンロック状態とし、取付杆１０１に対して樋支持具本体１０２を長孔１１２の範囲で自由にスライド可能にしている。
【０００７】
この樋支持具本体１０２を所望の位置に決めた後、横回転ロックレバー１０４を回転すると、この横回転レバー１０４が長手方向に向き始める。
【０００８】
このとき、横回転ロックレバー１０４の上面１１４は、受座１０３の傾斜部１２３と先ず接合し、徐々にこの傾斜部１２３に沿って膨出部１３３の高さ分だけ受座１０３全体を押し上げる。
【０００９】
そして、受座１０３の上面の爪部１１３、１１３が、樋支持具本体１０２の凹部１２２ａに係入すると共に、樋支持具本体１０２も押上げられて取付杆１０１に圧接する。
【００１０】
そのため、樋支持具本体１０２を取付杆１０１に圧接すると共に、樋支持具本体１０２に受座１０３の爪部１１３が係止しているので、樋支持具本体１０２のスライドを固定したロック状態にできる。
【００１１】
その後、図９で示すように、樋支持具本体１０２の樋・前掛止部１３２及び樋・後掛止部１４２に樋Ｔを掛止して取付けるのである。
【００１２】
一方、ロック状態を解除するには、横回転ロックレバー１０４を水平方向に向けて回転すれば、受座１０３の膨出部１３３に沿ってその高さ分だけ受座１０３が落下する。
【００１３】
そのため、受座１０３の爪部１１３と樋支持具本体１０２との係合が離脱すると共に、樋支持具本体１０２と取付杆１０１との圧接も解除され、樋支持具本体１０２をスライド可能にできる。
【００１４】
このように、従来の横回転ロック式の雨樋支持具１００は、簡易且つ確実に樋支持具本体１０２を取付杆１０１に圧接して固定できる点で優れている。
【００１５】
【発明が解決しようとする課題】
しかし、この横回転ロック式の雨樋支持具１００には、樋支持具本体１０２を取付杆１０１に圧接して固定するためには、爪部１１３や膨出部１３３を設けた受座１０３が必須の要件である。
【００１６】
そのため、受座１０３の部品点数が増し、製造コストが高くなるという問題があった。
【００１７】
また、膨出部１３３の僅かな高さ分を考慮しながら横回転ロックレバー１０４等を連結軸１０５で連結しなければならず、そのため、横回転ロックレバー１０４の取付け作業が難しく、ロック時などにおける横回転ロックレバーの回転かたさにバラツキが生じるという問題もあった。
【００１８】
本発明は、かかる課題を解決することを目的とするもので、従来の受座を不要にでき、横回転ロックレバーの回転かたさを均一にできる横回転ロック式の雨樋支持具を提供する。
【００１９】
【課題を解決するための手段】
上記目的を達成するため、
請求項１に係る横回転ロック式の雨樋支持具は、取付杆にスライド可能に連結した樋支持具本体と、水平方向に回転させる横回転ロックレバーを備え、これらを上下に貫通する連結軸で連結し、上記樋支持具本体を所望の位置で固定させる横回転ロック式の雨樋支持具であって、上記横回転ロックレバーには、略中央に上記連結軸を貫通する軸孔部を形成すると共に、上面に上記樋支持具本体の下面に形成した凹凸部と係脱可能な上方に向けて弾性付勢させ上端を円弧状とした爪片部が上記軸孔部を中心として前後２箇所に切り欠き形成してあり、上記横回転ロックレバーをロック位置に回転したときには、この横回転ロックレバーの爪片部が、上記樋支持具本体の側方から、上記樋支持具本体の凹凸部の凹部に係入すると共に、上記樋支持具本体を所望の位置に固定させる構造とした。
【００２０】
請求項１では、横回転ロックレバーの上面に、上方に弾性付勢された爪片部を形成しているので、従来のような受板を使用することなく、樋支持具本体のスライドをロック或いはアンロックにできるため、受板の部品点数を削減できコストダウンを図ることができる。
【００２１】
また、従来の受板に形成されていた膨出部を設けないので、その膨出部の高さ分を考慮して連結軸を連結する必要もなく、隣接する部品同士は各々面当たりで接触して連結できるので、連結軸による安定した連結ができる。そのため、横回転ロックレバーの回転かたさのバラツキを無くして均一化でき、製品の品質を高めることができる。
【００２２】
請求項２に係る横回転ロック式の雨樋支持具は、取付杆にスライド可能に連結した樋支持具本体と、水平方向に回転させる横回転ロックレバーを備え、これらを上下に貫通する連結軸で連結し、上記樋支持具本体を所望の位置で固定させる横回転ロック式の雨樋支持具であって、上記取付杆の前方には、略中央に上記連結軸を貫通する軸孔を形成すると共に、上記樋支持具本体の上面に形成した凹凸部と係脱可能な上方に向けて弾性付勢させた爪片部が上記軸孔の前後２箇所に切り欠き形成してあり、上記横回転ロックレバーをロック位置に回転したときには、上記取付杆の爪片部が、横回転ロックレバーに押し下げられて、上記樋支持具本体の凹部に係入すると共に、上記樋支持具本体を所望の位置に固定させる構造とした。
【００２３】
請求項２では、取付杆の前方に、上方に弾性付勢された爪片部を形成しているので、従来のような受板を使用することなく、樋支持具本体のスライドをロック或いはアンロックにできるため、受板の部品点数を削減できコストダウンを図ることができる。
【００２４】
また、従来の受板に形成されていた膨出部を設けないので、その膨出部の高さ分を考慮して連結軸を連結する必要もなく、隣接する部品同士は各々面当たりで接触するので、連結軸による安定した連結ができる。そのため、横回転ロックレバーの回転かたさのバラツキを無くして均一化でき、製品の品質を高めることができる。
【００２５】
請求項３に係る横回転ロック式の雨樋支持具は、取付杆にスライド可能に連結した樋支持具本体と、水平方向に回転させる横回転ロックレバーを備え、これらを上下に貫通する連結軸で連結し、上記樋支持具本体を所望の位置に固定させる横回転ロック式の雨樋支持具であって、上記樋支持具本体と横回転ロックレバーの間には、受板が設けられており、上記受板には、略中央に上記連結軸を貫通する軸孔部を形成すると共に、上記樋支持具本体の下面に形成した凹凸部と係脱可能な下方に向けて弾性付勢させた爪片部が上記軸孔部の前後２箇所に切り欠き形成してあり、上記横回転ロックレバーをロック位置に回転したときには、上記取付杆の爪片部が、横回転ロックレバーに押し上げられて、上記樋支持具本体の凹部に係入すると共に、上記樋支持具本体を所望の位置に固定させる構造とした。
【００２６】
請求項３では、樋支持具本体と横回転ロックレバーの間に、下方に弾性付勢された爪片部を形成した受板を設けているので、従来のような膨出部を形成する必要がないので、その膨出部の高さ分を考慮して連結軸を容易に連結する必要もなく、隣接する部品同士は各々面当たりで接触するので、連結軸による安定した連結ができる。そのため、横回転ロックレバーの回転かたさのバラツキを無くして均一化でき、製品の品質を高めることができる。
【００２７】
請求項４に係る横回転ロック式の雨樋支持具は、請求項１〜３の何れかにおいて、上記樋支持具本体に形成した長孔の側壁には、長手方向に連続する凹凸部を形成し、この凹凸部の凹部と、上記爪片部とを、係脱可能な構造にしている。
【００２８】
請求項４では、爪片部が、樋支持具本体の長孔の側壁に形成した凹凸部の凹部に係入するので、樋支持具本体のスライドを確実にロックできる。
【００２９】
【発明の実施の形態】
以下、本発明に係る横回転ロック式の雨樋支持具Ａを図面に基づき説明する。
【００３０】
（請求項１に対応）
図１は、本発明に係る横回転ロック式の雨樋支持具の第１実施例を示す分解斜視図、図２（ａ），（ｂ）は、図１で示した横回転ロック式の雨樋支持具のロック、アンロック状態を示す部分断面図である。
【００３１】
図中１は横回転ロックレバー、２は取付杆、３は樋支持具本体、４は連結軸を各々示しており、以下、各部材について詳説する。
【００３２】
横回転ロックレバー１は、下方に開放した断面コ状に形成され、略中央に連結軸４を貫通する軸孔部１２を形成し、この軸孔部１２を中心として水平方向に回転可能にしている。
【００３３】
また、軸孔部１２を中心とする前後に対称な位置の上面１１には、上方に向けて弾性付勢させた一対の爪片部１３、１３を形成している。
【００３４】
この爪片部１３、１３の形状は、樋支持具本体３の下面に形成した凹凸部３５と係脱可能であれば良く、限定されない。
【００３５】
ここでは、図２の断面図にも示すように、横回転ロックレバー１の上面１１を切り欠き、その切り欠いた片を一旦下方に傾斜させた後、先端部分だけを上方に折り曲げて爪片部１３、１３を形成することで、この爪片部１３、１３を上方に向けて弾性付勢させている。
【００３６】
また、爪片部１３、１３は、その上端１３ａ、１３ａを円弧状に形成しており、樋支持具本体３の下面に形成した凹凸部３５に対して、その側方からの係合を容易にできる。
【００３７】
なお、図３は、横回転ロックレバーの他の形状を示す斜視図であり、図３で示すように横回転ロックレバー１は、種々の形状に形成することができる。
【００３８】
取付杆２は、建造物の軒先等に固定される取付足板２１の上端中央から前方に向けて足杆２２を延設し、この足杆２２の前方には、段落ち形成した連結片部２３を形成している。
【００３９】
この連結片部２３には、横回転ロックレバー１の軸孔部１２と重合する軸孔２３ａを開設している。
【００４０】
なお、取付杆２の形状は例示であり、これに限定されるものではない。
【００４１】
樋支持具本体３は、長板状のスライド板本体３１の前後端に、図示のような樋Ｔを吊下げ支持するための樋・前掛止部３２及び樋・後掛止部３３を各々形成している。
【００４２】
この樋・前掛止部３２及び樋・後掛止部３３は、図例のものに限定されず、従来から使用される種々のタイプのものが採用できる。
【００４３】
また、スライド板本体３１の長手方向中央には、連結軸４が貫通する長孔３４を開設し、この長孔３４は、取付杆２の軸孔２３ａ、横回転ロックレバー１の軸孔部１２と常に重合している。
【００４４】
ここでは、樋支持具本体２を全て硬質の樹脂で一体成形したものを示しているが、ステンレスなどの金属板で成形した他の樋支持具本体２であっても構わない。
【００４５】
連結軸４は、取付杆２の軸孔２３ａ、樋支持具本体３の長孔３４、横回転ロックレバー１の軸孔部１２を貫通する軸部４１を備えており、ここでは、リベットを例示しているが、一対のボルト、ナットを用いることも可能である。
【００４６】
この横回転ロック式の雨樋支持具Ａは、図１で示すように連結軸４を、取付杆２の軸孔２３ａ、樋支持具本体３の長孔３４、横回転ロックレバー１の軸孔部１２に順次貫通し、この連結軸４の下端にバネワッシャ５、ワッシャ６を挿通したうえで、連結軸４の下端をカシメ止めて枢着しており、樋支持具本体３は、取付杆２に前後にスライド可能に連結できる。
【００４７】
なお、バネワッシャ５は、樋支持具本体３の長孔３４を貫通しない弾性部材の一例にすぎず、これに代えて、コイルバネなどを用いることも考えられる。
【００４８】
上記のように構成した横回転ロック式の雨樋支持具Ａは、図２で示すように、取付杆２を軒先等に固定した後、横回転ロックレバー１を横方向にしてアンロック状態にする〔図２（ａ）参照〕。
【００４９】
このアンロック状態では、横回転ロックレバー１の爪片部１３、１３は、樋支持具本体３の下面に形成した凹凸部３５の凹部に係合していないので、この樋支持具本体３を前後へ自由にスライドすることができ、所望の位置に、この樋支持具本体３を位置付けできる。
【００５０】
このように樋支持具本体３を所望の位置に位置づけた後、横回転ロックレバー１を左右何れかの方向に回転すると、この横回転ロックレバー１の爪片部１３、１３は、樋支持具本体３の凹凸部３５に対して側方から当接する。
【００５１】
そして、横回転ロックレバー１を更に廻し込むと、爪片部１３、１３の上面が、その弾性付勢に逆らいながら樋支持具本体３の凹凸部３５の凹部に係入する。
【００５２】
そのため、樋支持具本体３は、横回転ロックレバー１の爪片部１３、１３によって、前後のスライドを固定され、これをロック状態にできる〔図２（ｂ）参照〕。
【００５３】
一方、ロック状態を解除するには、横回転ロックレバー１を横方向に向けて水平回転させれば、爪片部１３、１３が、樋支持具本体３の凹凸部３５の凹部から離脱し、樋支持具本体３をスライド可能にできる〔図２（ａ）参照〕。
【００５４】
このような横回転ロック式の雨樋支持具Ａによれば、横回転ロックレバー１の上面１１に、上方に弾性付勢された爪片部１３、１３を形成しているので、従来のような受板を使用することなく、樋支持具本体３のスライドをロック或いはアンロックにできるため、受板の部品点数を削減できコストダウンを図ることができる。
【００５５】
また、従来の受板に形成されていた膨出部を設けないので、その膨出部の高さ分を考慮して連結軸を連結する必要もなく、隣接する部品同士は各々面当たりで接触して連結できるので、連結軸による安定した連結ができる。そのため、横回転ロックレバー１の回転かたさのバラツキを無くして均一化でき、雨樋支持具Ａの品質を高めることができる。
【００５６】
（請求項２に対応）
図４は、本発明に係る横回転ロック式の雨樋支持具の第２実施例を示す分解斜視図、図５（ａ），（ｂ）は、図４で示した横回転ロック式の雨樋支持具のロック、アンロック状態を示す部分断面図である。
なお、図４以下の説明では、図１、２と共通する部位については、同一の符号を付して、その説明を省略している。
【００５７】
この横回転ロック式の雨樋支持具Ａは、横回転ロックレバー１を取付杆２の上方に位置付けた場合を示しており、この場合には、取付杆２前方の連結片部２３の軸孔２３ａの前後を切り欠いて、上方に向けて弾性付勢させた爪片部１３、１３を形成する。
【００５８】
また、これに対応して、樋支持具本体３の凹凸部３５は、その上面に形成している。
【００５９】
この雨樋支持具Ａでは、図５に示すように、横回転ロックレバー１をロック位置に回転したときには、取付杆２の爪片部１３、１３が、横回転ロックレバー１に押し下げられて、樋支持具本体３の凹凸部３５の凹部に係入すると共に、樋支持具本体３を所望の位置にロックできる〔図５（ｂ）参照〕。
【００６０】
一方、ロックを解除するには、横回転ロックレバー１をさらに水平方向に回転すれば、付勢されていた爪片部１３、１３が上方に跳ね上がって樋支持具本体３の凹部から離脱するので、樋支持具本体３をスライド可能にできる〔図５（ａ）参照〕。
【００６１】
このような横回転ロック式の雨樋支持具Ａによっても、取付杆２の前方に、上方に弾性付勢された爪片部１３、１３を形成しているので、従来のような受板を使用することなく、樋支持具本体３のスライドをロック或いはアンロックにできるため、受板の部品点数を削減できコストダウンを図ることができる。
【００６２】
また、従来の受板に形成されていた膨出部を設けないので、その膨出部の高さ分を考慮して連結軸を連結する必要もなく、隣接する部品同士は各々面当たりで接触して連結できるので、連結軸による安定した連結ができる。そのため、横回転ロックレバー１の回転かたさのバラツキを無くして均一化でき、雨樋支持具Ａの品質を高めることができる。
【００６３】
（請求項３に対応）
図６は、本発明に係る横回転ロック式の雨樋支持具の第３実施例を示す分解斜視図、図７（ａ），（ｂ）は、図６で示した横回転ロック式の雨樋支持具のロック、アンロック状態を示す部分断面図である。
【００６４】
この横回転ロック式の雨樋支持具Ａは、樋支持具本体３と横回転ロックレバー１の間に、下方に弾性付勢された爪片部１３、１３を形成した受板７を設けている。
【００６５】
この受板７は、バネ性薄板で形成され、略中央に連結軸４を貫通する軸孔部７１を形成すると共に、樋支持具本体３の下面に形成した凹凸部３５と係脱可能な爪片部１３、１３を下方に向けて弾性付勢させて成る。この雨樋支持具Ａでは、図７に示すように、横回転ロックレバー１をロック位置に回転したときには、受板７の爪片部１３、１３が、横回転ロックレバー１の上面１１で押し下げられて、樋支持具本体３の凹凸部３５の凹部に係入すると共に、樋支持具本体３を所望の位置にロックできる〔図７（ｂ）参照〕。
【００６６】
一方、ロックを解除するには、横回転ロックレバー１をさらに水平方向に回転すれば、付勢されていた爪片部１３、１３が下方に下がって樋支持具本体３の凹部から離脱するので、樋支持具本体３をスライド可能にできる〔図７（ａ）参照〕。
【００６７】
このような横回転ロック式の雨樋支持具Ａでは、従来の受板に形成されていた膨出部を設けないので、その膨出部の高さ分を考慮して連結軸を連結する必要もなく、隣接する部品同士は各々面当たりで接触して連結できるので、連結軸による安定した連結ができる。そのため、横回転ロックレバー１の回転かたさのバラツキを無くして均一化でき、雨樋支持具Ａの品質を高めることができる。
【００６８】
（請求項４に対応）
図８は、本発明に係る横回転ロック式の雨樋支持具の第４実施例を示す分解斜視図である。
【００６９】
この横回転ロック式の雨樋支持具Ａは、図１、図４、図６の何れかで示した樋支持具本体３の長孔３４の側壁に連続する凹凸部３５’を形成し、この凹凸部３５’の凹部と横回転ロックレバー１の爪片部１３、１３とを係脱可能な構造にしており、ここでは、図１を基本構造にしたものを例示している。
【００７０】
このような横回転ロック式の雨樋支持具Ａによれば、横回転ロックレバー１（取付杆２、或いは受板７）に形成された爪片部１３、１３が、樋支持具本体３の長孔３４の側壁に形成した凹凸部３５’の凹部に係入するので、樋支持具本体３のスライドを確実にロックできる。
【００７１】
【発明の効果】
本発明によれば、次のような効果がある。
【００７２】
請求項１に係る横回転ロック式の雨樋支持具によれば、横回転ロックレバーの上面に、上方に弾性付勢された爪片部を形成しているので、従来のような受板を使用することなく、樋支持具本体のスライドをロック或いはアンロックにできるため、受板の部品点数を削減できコストダウンを図ることができる。
【００７３】
また、従来の受板に形成されていた膨出部を設けないので、その膨出部の高さ分を考慮して連結軸を連結する必要もなく、隣接する部品同士は各々面当たりで接触して連結できるので、連結軸による安定した連結ができる。そのため、横回転ロックレバーの回転かたさのバラツキを無くして均一化でき、製品の品質を高めることができる。
【００７４】
請求項２に係る横回転ロック式の雨樋支持具によれば、取付杆の前方に、上方に弾性付勢された爪片部を形成しているので、従来のような受板を使用することなく、樋支持具本体のスライドをロック或いはアンロックにできるため、受板の部品点数を削減できコストダウンを図ることができる。
【００７５】
また、従来の受板に形成されていた膨出部を設けないので、その膨出部の高さ分を考慮して連結軸を容易に連結する必要もなく、隣接する部品同士は各々面当たりで接触するので、連結軸による安定した連結ができる。そのため、横回転ロックレバーの回転かたさのバラツキを無くして均一化でき、製品の品質を高めることができる。
【００７６】
請求項３に係る横回転ロック式の雨樋支持具によれば、樋支持具本体と横回転ロックレバーの間に、下方に弾性付勢された爪片部を形成した受板を設けているので、従来のような膨出部を形成する必要がないので、その膨出部の高さ分を考慮して連結軸を容易に連結する必要もなく、隣接する部品同士は各々面当たりで接触するので、連結軸による安定した連結ができる。そのため、横回転ロックレバーの回転かたさのバラツキを無くして均一化でき、製品の品質を高めることができる。
【００７７】
請求項４に係る横回転ロック式の雨樋支持具によれば、請求項１〜３の何れかに形成した爪片部が、樋支持具本体の長孔の側壁に形成した凹凸部の凹部に係入するので、樋支持具本体のスライドを確実にロックできる。
【図面の簡単な説明】
【図１】本発明に係る横回転ロック式の雨樋支持具の第１実施例を示す分解斜視図
【図２】（ａ），（ｂ）は、図１で示した横回転ロック式の雨樋支持具のロック、アンロック状態を示す部分断面図
【図３】横回転ロックレバーの他の形状を示す斜視図
【図４】本発明に係る横回転ロック式の雨樋支持具の第２実施例を示す分解斜視図
【図５】（ａ），（ｂ）は、図３で示した横回転ロック式の雨樋支持具のロック、アンロック状態を示す部分断面図
【図６】本発明に係る横回転ロック式の雨樋支持具の第３実施例を示す分解斜視図
【図７】（ａ），（ｂ）は、図５で示した横回転ロック式の雨樋支持具のロック、アンロック状態を示す部分断面図
【図８】本発明に係る横回転ロック式の雨樋支持具の第４実施例を示す分解斜視図
【図９】従来の横回転ロック式の雨樋支持具を示す分解斜視図
【図１０】従来の横回転ロック式の雨樋支持具を示す動作説明図
【符号の説明】
Ａ      横回転ロック式の雨樋支持具
Ｔ      樋
１
横回転ロックレバー
１１    上面
１２    軸孔部
１３    爪片部
２      取付杆
２３ａ  軸孔
３      樋支持具本体
３４    長孔
３５    凹凸部
３５’  側壁の凹凸部
４      連結軸
７      受板
７１    軸孔部
【図１】
0004486741.tif 000002
【図２】
0004486741.tif 000003
【図３】
0004486741.tif 000004
【図４】
0004486741.tif 000005
【図５】
0004486741.tif 000006
【図６】
0004486741.tif 000007
【図７】
0004486741.tif 000008
【図８】
0004486741.tif 000009
【図９】
0004486741.tif 000010
【図１０】
0004486741.tif 000011